【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
デバイス間で再生関連情報のコンテンツを転送するための方法であって、
少なくとも１つのサービスから状態情報を取得し、
あるデバイス内に前記状態情報を蓄積するため、前記デバイスに対して１つのアクションを実行し、前記状態情報が、入力アーギュメントとして前記アクションに含まれるようにし、
該アクションに従って、前記状態情報を前記デバイスに蓄積する各ステップを含む方法。
【請求項２】
前記少なくとも１つのサービスは、コンテンツの再生に関係していることを特徴とする請求項１記載の方法。
【請求項３】
前記少なくとも１つのサービスは、ＡＶトランスポートサービスとレンダリングコントロールサービスの少なくとも１つを含んでいることを特徴とする請求項１記載の方法。
【請求項４】
蓄積された前記状態情報は、前記コンテンツの再生が停止される位置から前記コンテンツの最新再生のための制御情報として用いられることを特徴とする請求項１記載の方法。
【請求項５】
前記デバイスは、少なくとも１つのサービスを含んでいることを特徴とする請求項１記載の方法。
【請求項６】
再生関連情報のコンテンツを転送するためのシステムであって、
コンテンツを蓄積するためのサーバーと、
少なくとも１つのサービスを含むデバイスと、
前記サーバーと前記デバイスを制御するコントロールポイントを含み、
このコントロールポイントは、前記少なくとも１つのサービスから状態情報を取得し、さらに、前記サーバーに対して１つのアクションを実行し、前記状態情報が入力アーギュメントとして前記アクションに含まれるように、前記サーバー内に前記状態情報を蓄積することを特徴とするシステム。
【請求項７】
前記サーバーは、前記アクションに従う状態情報を蓄積することを特徴とする請求項６記載のシステム。
【請求項８】
少なくとも1つのサービスは、前記コンテンツの再生に関係していることを特徴とする請求項６記載のシステム。
【請求項９】
前記少なくとも１つのサービスは、ＡＶトランスポートサービスとレンダリングコントロールサービスの少なくとも１つを含んでいることを特徴とする請求項６記載のシステム。
【請求項１０】
前記サーバーは、ＡＶトランスポートサービスを含み、前記デバイスは、レンダリングコントロールサービスを含んでいることを特徴とする請求項９記載のシステム。
【請求項１１】
前記デバイスは、ＡＶトランスポートサービスとレンダリングコントロールサービスの両方を含んでいることを特徴とする請求項９記載のシステム。
【請求項１２】
前記サーバーに蓄積された状態情報は、前記コンテンツの再生が停止される位置から前記コンテンツの最新再生のための制御情報として用いられることを特徴とする請求項７記載のシステム。
【請求項１３】
前記サーバー内に蓄積された状態情報を読み出し、さらにこの読み出された状態情報を第２のデバイスに設定するための第２コントロールポイントをさらに含んでいることを特徴とする請求項７記載のシステム。
【請求項１４】
デバイス間で再生関連情報のコンテンツを転送するための方法であって、
前記デバイス内に状態情報を蓄積するため、前記デバイスに対して１つのアクションを実行するステップを含み、
前記状態情報が入力アーギュメントとして前記アクションに含まれ、前記状態情報が少なくとも１つのサービスから得られることを特徴とする方法。
【請求項１５】
前記少なくとも１つのサービスは、コンテンツの再生に関連していることを特徴とする請求項１４記載の方法。
【請求項１６】
前記少なくとも１つのサービスは、ＡＶトランスポートサービスとレンダリングコントロールサービスの少なくとも１つを含んでいることを特徴とする請求項１４記載の方法。
【請求項１７】
蓄積された前記状態情報は、前記コンテンツの再生が停止される位置から前記コンテンツの最新再生のための制御情報として用いられることを特徴とする請求項１４記載の方法。
【請求項１８】
前記デバイスは少なくとも１つのサービスを含んでいることを特徴とする請求項１４記載の方法。
【手続補正２】
【補正対象書類名】明細書
【補正対象項目名】００１５
【補正方法】変更
【補正の内容】
【００１５】
上記目的を達成するために、本発明は、再生関連情報のコンテンツを転送するためのシステムであって、コンテンツを蓄積するためのサーバーと、少なくとも１つのサービスを含むデバイスと、前記サーバーと前記デバイスを制御するコントロールポイントを含み、
このコントロールポイントは、前記少なくとも１つのサービスから状態情報を取得し、さらに、前記サーバーに対して１つのアクションを実行し、前記状態情報が入力アーギュメントとして前記アクションに含まれるように、前記サーバー内に前記状態情報を蓄積することを特徴とする。また、前記サーバーは、前記アクションに従う状態情報を蓄積する。少なくとも1つのサービスは、前記コンテンツの再生に関係している。前記少なくとも１つのサービスは、ＡＶトランスポートサービスとレンダリングコントロールサービスの少なくとも１つを含んでいることを特徴とする。
【手続補正３】
【補正対象書類名】明細書
【補正対象項目名】００１７
【補正方法】変更
【補正の内容】
【００１７】
また、本発明の構成によれば、前記サーバーは、ＡＶトランスポートサービスを含み、前記デバイスは、レンダリングコントロールサービスを含んでいることを特徴とする請求項９記載のシステム。前記デバイスは、ＡＶトランスポートサービスとレンダリングコントロールサービスの両方を含んでいる。前記サーバーに蓄積された状態情報は、前記コンテンツの再生が停止される位置から前記コンテンツの最新再生のための制御情報として用いられることを特徴とする。また、前記サーバー内に蓄積された状態情報を読み出し、さらにこの読み出された状態情報を第２のデバイスに設定するための第２コントロールポイントをさらに含んでいる。
【手続補正４】
【補正対象書類名】明細書
【補正対象項目名】００１８
【補正方法】変更
【補正の内容】
【００１８】
本発明のさらに別の構成によれば、本発明は、デバイス間で再生関連情報のコンテンツを転送するための方法であって、少なくとも１つのサービスから状態情報を取得し、あるデバイス内に前記状態情報を蓄積するため、前記デバイスに対して１つのアクションを実行し、前記状態情報が、入力アーギュメントとして前記アクションに含まれるようにし、
該アクションに従って、前記状態情報を前記デバイスに蓄積する各ステップを含むことを特徴としている。前記少なくとも１つのサービスは、コンテンツの再生に関係している。
前記少なくとも１つのサービスは、ＡＶトランスポートサービスとレンダリングコントロールサービスの少なくとも１つを含んでいる。蓄積された前記状態情報は、前記コンテンツの再生が停止される位置から前記コンテンツの最新再生のための制御情報として用いられる。前記デバイスは、少なくとも１つのサービスを含んでいる。
【手続補正５】
【補正対象書類名】明細書
【補正対象項目名】００１９
【補正方法】変更
【補正の内容】
【００１９】
また、本発明の別の構成によれば、デバイス間で再生関連情報のコンテンツを転送するための方法は、前記デバイス内に状態情報を蓄積するため、前記デバイスに対して１つのアクションを実行するステップを含み、前記状態情報が入力アーギュメントとして前記アクションに含まれ、前記状態情報が少なくとも１つのサービスから得られることを特徴とする。前記少なくとも１つのサービスは、コンテンツの再生に関連している。また、前記少なくとも１つのサービスは、ＡＶトランスポートサービスとレンダリングコントロールサービスの少なくとも１つを含んでいる。蓄積された前記状態情報は、前記コンテンツの再生が停止される位置から前記コンテンツの最新再生のための制御情報として用いられ、
前記デバイスは少なくとも１つのサービスを含んでいることを特徴とする。
【手続補正６】
【補正対象書類名】明細書
【補正対象項目名】００３０
【補正方法】変更
【補正の内容】
【００３０】
ここで、メディアサーバＭＳに保存された状態情報を、メディアサーバＭＳの接続マネージャサービスにより、第２コントロールポイントＣＰ２に転送するためのオプションアクションを追加し、オプションアクションをメディアサーバＭＳに一時保存することが好ましい。例えば、オプションアクションの名をＣＭ:StatePut（）とし、入力引数（入力アーギュメント）をobjectＩＤ、MediaServer State情報、MediaRenderer State情報とすることができる。ObjectＩＤは、保存された状態情報の識別子として必要である。